(57)【要約】      （修正有）【課題】メモ用紙の巻軸を内設してメモ用紙をも備えた筆記用具を提供する。【解決手段】メモ用紙を空洞固定軸２２上に巻きつけ、このメモ用を紙巻きつけた空洞固定軸をペン管２５内に収納し、このペン管は長方形開口溝２５２を開設しており、使用者がペン先を回転させることにより空洞固定軸が連動して回転し、巻き付けたメモ用紙が長方形開口溝から出てくるようになっている。【選択図】図２
0003104960.tif 000002
【実用新案登録請求の範囲】
【請求項１】
ペン芯前端に空洞固定軸を覆設し、該空洞固定軸の前端に凸型縁を設け、該凸型縁上に二つの凸型ブロックを形成し、前記空洞固定軸の後端につめ車盤を設け、ペン先の後端に凸型リブを設け、前記ペン先の末端に二つの凹型部を形成し、
前記空洞固定軸に設けた二つの凸型ブロックを前記ペン先の末端に有する凹型部に嵌合し、該ペン先と前記空洞固定軸とを一体に構成し、
前記ペン芯に空洞固定軸を覆設してペン先内に固定し、ペン芯の後端にホールディング部品を設け、該ホールディング部品に固定部品を設けるとともに後端の凸型部上にバネを設け、前記固定部品の前端につめ車を設けて前記空洞固定軸の後端に有するつめ車盤と相互に噛み合わせ、さらに前記固定部品の後端に有する凸型ブロックを固定台中の固定ブロックに設け、
前記ペン管の前端内側端に凸型リブを設けると共に、ペン管上に長方形開口溝を開設し、末端にキャップを設け、ペン先とペン管とを相互に結合させ、ペン先の末端に有する凸型リブをペン管前端内側端の凸型リブと相互に嵌合し、ペン先を回すことにより、前記空洞固定軸が連動してペン管内で回転し、このとき、空洞固定軸の位置は長方形開口溝に平行であり、
メモ用紙を前記空洞固定軸上に巻回し、このメモ用紙の片端をペン管に開設した前記長方形開口溝より出し、ペン先を回転させることにより空洞固定軸が連動して回転し、メモ用紙が長方形開口溝からゆっくり出て、メモ用紙が適正な長さまで出たとき、メモ用紙を切り取ることを可能としたことを特徴とする筆記用具。
【請求項２】
前記バネをペン先内へ挿設し、順に前記空洞固定軸及びペン芯を装設し、この空洞固定軸に有する二つの凸型ブロックをペン先の末端に形成した凹型部に嵌合し、ペン先と空洞固定軸を一体に形成し、
前記ペン管前端内側端は凸型リブを有すると共に、ペン管上に長方形開口溝を開設し、制御部品を備え、シャープペンシルの構造としたことを特徴とする請求項１に記載の筆記用具。
【請求項３】
前記メモ用紙の片端は、テープ又はのりにより空洞固定軸２２上へ貼着して巻回することを特徴とする請求項１に記載の筆記用具。
【請求項４】
前記ペン管内の長方形開口溝は、斜面切り口を有し、該斜面切り口はやや突出しており、メモ用紙が斜面に沿って出てくることを可能とし、斜面切り口によりメモ用紙を簡単に切り取ることができることを特徴とする請求項１に記載の筆記用具。
【請求項５】
前記制御部品は、つめ車、ボタン及びキャップであることを特徴とする請求項２に記載の筆記用具。
【請求項６】
前記メモ用紙は、粘着剤を有するメモ用紙でも可能であることを特徴とする請求項３に記載の筆記用具。
【考案の詳細な説明】
【技術分野】
【０００１】
本考案は、メモ用紙を空洞固定軸上に巻きつけ、このメモ用を巻きつけた空洞固定軸をペン管内に収納固定し、前記ペン管上へ長方形開口溝を開設して、使用者がペン先を回転させることにより空洞固定軸が連動して回転し、前記メモ用紙が長方形開口溝から出てくるものであり、更に前記長方形開口溝は切り口を備えており、メモ用紙を簡単に切り取ることが可能な筆記用具に関する。
【背景技術】
【０００２】
図１に示すように、従来の一般の筆記用具１は、ペン先１１、ペン管１２、及びキャップ１３により形成する設置空間内にペン芯を設け、つめ車及びボタンを備えた構造であり、前記ペン芯はボタンを押すことにより突き出るようになっている。
【０００３】
ところで、とっさの必要時のためメモ用紙を常に携帯しているという習慣は全ての人にあるわけではないため、メモを必要とするときに限って書く紙が見当たらないがため、手に情報を書いている状況を多々目撃することがあるが、うっかり手を洗ってしまい情報が消えてしまうこともある。もし、筆記用具を携帯すると同時にメモ用紙の携帯を忘れることが無ければ、上述の問題を簡単に解決することができる。
【考案の開示】
【考案が解決しようとする課題】
【０００４】
上述の不都合を解決するため、メモ用紙を巻いたものをペン管内に設置し、長方形の開口溝よりメモ用紙を外へ引き出し、使用者が容易にメモ用紙を切り取って使用することができ、筆記用具を携帯すると同時にメモ用紙を携帯することを忘れて困ってしまうことを解決した筆記用具を提供することを課題とする。
【課題を解決するための手段】
【０００５】
上記課題を解決するため本考案による筆記用具は、ペン芯前端に空洞固定軸を覆設し、該空洞固定軸の前端に凸型縁を設け、該凸型縁上に二つの凸型ブロックを形成し、前記空洞固定軸の後端につめ車盤を設け、ペン先の後端に凸型リブを設け、前記ペン先の末端に二つの凹型部を形成し、
前記空洞固定軸に設けた二つの凸型ブロックを前記ペン先の末端に有する凹型部に嵌合し、該ペン先と前記空洞固定軸とを一体に形成し、
前記ペン芯に空洞固定軸を覆設してペン先内に固定し、ペン芯の後端にホールディング部品を設け、該ホールディング部品に固定部品を設けるとともに後端の凸型部上にバネを設け、前記固定部品の前端につめ車を設けて前記空洞固定軸の後端に有するつめ車盤と相互に噛み合わせ、さらに前記固定部品の後端に有する凸型ブロックを固定台中の固定ブロックに設け、
前記ペン管の前端内側端に凸型リブを設けると共に、ペン管上に長方形開口溝を開設し、末端にキャップを設け、ペン先とペン管とを相互に結合させ、ペン先の末端に有する凸型リブをペン管前端内側端の凸型リブと相互に嵌合し、ペン先を回すことにより、前記空洞固定軸が連動してペン管内で回転し、このとき、空洞固定軸の位置は長方形開口溝に平行であり、
メモ用紙を前記空洞固定軸上に巻回し、このメモ用紙の片端をペン管に開設した前記長方形開口溝より出し、ペン先を回転させることにより空洞固定軸が連動して回転し、メモ用紙が長方形開口溝からゆっくり出て、メモ用紙が適正な長さまで出たとき、メモ用紙を切り取ることを可能としたことを特徴とする。
【０００６】
すなわち、本考案は、筆記用具とメモ用紙を同時に携帯することができるメモ用紙を備えた筆記用具である。
【考案の効果】
【０００７】
本考案によれば、筆記用具を携帯すれば、メモ用紙も同時に携帯することができる効果がある。
【考案を実施するための最良の形態】
【０００８】
以下、図面を参照して本考案の実施例を説明する。
【実施例】
【０００９】
本考案の実施例を図に沿って説明すれば、図２、図３及び図４に示すように、メモ用紙を巻回して収納する巻軸を備えた筆記用具２は、ペン芯２１前端へ空洞固定軸２２を覆設し、該空洞固定軸２２の前端に凸型縁２２１を有し、該凸型縁２２１上に二つの凸型ブロック２２２を設け、前記空洞固定軸２２の後端につめ車盤２２３を設けて、ペン先２３の後端に凸型リブ２３１を有し、該ペン先２３の末端に２つの凹型部２３２を有し、バネ２４をペン先２３内へ挿設し、順に空洞固定軸２２及びペン芯２１を装設し、空洞固定軸２２に有する二つの凸型ブロック２２２をペン先２３の末端に有する凹型部２３２に嵌合し、ペン先２３と空洞固定軸２２とを一体に構成している。
【００１０】
前記ペン芯２１に空洞固定軸２２を覆設すると共に前記ペン先２３内に固定し、前記ペン芯２１後端にホールディング部品２９１を設け、該ホールディング部品２９１に固定部品２９２を設け、後端の凸型部２９１１上にバネ２９３を設け、前記固定部品２９２前端はつめ車２９２1を有し、このつめ車２９２１を前記空洞固定軸２２の後端に有するつめ車盤２２３と相互に噛み合わせ、前記固定部品２９２後端に有する凸型ブロック２９２２を固定台２９４中の固定ブロック２９４１に設けている（詳細構造は図１３を参照）。
【００１１】
前記ペン管２５前端内側端は、凸型リブ２５１を有し、さらにペン管２５上に長方形開口溝２５２を開設していると共に、つめ車２６、ボタン２７及びキャップ２８等の制御部品を設け、ペン先２３とペン管２５とが相互に結合するとき、ペン先２３の末端に有する凸型リブ２３１がペン管２５前端内側端の凸型リブ２５１と相互に嵌合して、ペン先２３を回すと、前記空洞固定軸２２が連動してペン管２５内で回転し、この空洞固定軸２２後端のつめ車盤２２３と固定部品２９２前端のつめ車２９２１が相互に噛み合い、固定部品２９２後端に有する凸型ブロック２９２２と固定台２９４中の固定ブロック２９４１は相互に嵌合し、一方の方向に向かって回転する。このとき、前記空洞固定軸２２の位置は長方形開口溝２５２に対し平行である。  
図５に示すように、メモ用紙３は粘着剤３１を有するメモ用紙３でも可能であり、該メモ用紙３の片端は空洞固定軸２２上へテープ４により貼着して空洞固定軸２２上へ巻回し、ペン管２５に開設する長方形の開口溝よりメモ用紙が出てくる仕組みとなっている。
【００１２】
図６〜図８に示すように、前記メモ用紙３は、空洞固定軸２２上に巻回し、メモ用紙３の片端はペン管２５に開設する長方形開口溝２５２より出ており、使用者がメモ用紙３を必要とするとき、ペン先２３を回転させることにより空洞固定軸２２が連動して回転し、メモ用紙３が長方形開口溝２５２からゆっくり出てくるようになっている。メモ用紙３が適正な長さまで出てきたとき、使用者はメモ用紙３を切り取るだけでよい。
【００１３】
図９及び図１０に示すように、前記ペン管２５内の長方形開口溝２５２は、斜面切り口２５３を有し、該斜面切り口２５３はやや突出しており、メモ用紙３は斜面に沿って出てくることが可能となり、使用者がメモ用紙３をペン管２５上より切り取る必要があるとき、斜面切り口２５３によりメモ用紙３を簡単に切り取ることができる。
【００１４】
図１１、及び図１２に示すように、ペン芯５１前端へ空洞固定軸５２を覆設し、該空洞固定軸５２の前端に凸型縁５２１を有し、該凸型縁５２１上に二つの凸型ブロック５２２を設け、該ペン先５３の後端は凸型リブ５３１を有し、末端には二つの凹型部５３２を設け、空洞固定軸５２上の二つの凸型ブロック５２２はペン先５３の末端にある凹型部５３２中に嵌合し、ペン先５３と空洞固定軸５２とは一体に形成され。
【００１５】
前記ペン芯５１に空洞固定軸５２を覆設してペン先５３内へ固定し、前記ペン芯５１後端にホールディング部品５６１を設け、該ホールディング部品５６１に固定部品５６２を設け、さらに後端の凸型部５６１１上にバネ５６３を設け、該固定部品５６２前端はつめ車５６２１を有し、空洞固定軸５２の後端に有するつめ車盤５２３と相互に噛み合わせ、後端に有する凸型ブロック５６２２を固定台５６４中の固定ブロック５６４１に設けている。
【００１６】
前記ペン管５４の前端内端は、凸型リブ５４１を有していると共に、ペン管５４上に長方形開口溝５４２を開設し、並びに末端にキャップ５５を設け、ペン先５３とペン管５４が相互に結合するとき、ペン先５３の末端に有する凸型リブ５３１がペン管５４前端内端の凸型リブ５４１と相互に嵌合して、ペン先５３を回すと、空洞固定軸５２が連動してペン管５４内で回転し、空洞固定軸５２後端のつめ車盤５２３と固定部品５６２前端のつめ車５６２１とは相互に噛み合い、並びに固定部品５６２後端に具有する凸型ブロック５６２２へ固定台５６４中の固定ブロック５６４１は相互に嵌合し、一方の方向へ向かって回り、並びに筆記用具５を形成し、このとき、空洞固定軸５２の位置は長方形開口溝５４２に対して平行である。
【図面の簡単な説明】
【００１７】
【図１】従来公知の筆記用具を示す斜視図である。
【図２】本考案の一実施例の筆記用具の分解図である。
【図３】本考案の一実施例の筆記用具の断面図である。
【図４】本考案の一実施例の筆記用具の斜視図である。
【図５】空洞固定軸にメモ用紙を結合した状態を示す説明図である。
【図６】メモ用紙をの一端を繰り出した状態を示す筆記用具の説明図である。
【図７】メモ用紙をの一端を繰り出した状態を示す筆記用具の説明図である。
【図８】メモ用紙をの一端を繰り出した状態を示す筆記用具の説明図である。
【図９】本考案一実施例の筆記用具の部分拡大図である。
【図１０】本考案一実施例の筆記用具の部分断面図である。
【図１１】本考案のもう一つの実施例を示す分解図である。
【図１２】本考案のもう一つの実施例における斜視図である。
【図１３】本考案の一実施例の筆記用具に用いる固定台の構造図である。
【符号の説明】
【００１８】
１      筆記用具
１１    ペン先
１２    ペン管
１３    キャップ
２      筆記用具
２１    ペン芯
２２    空洞固定軸
２２１  凸型縁
２２２  凸型ブロック
２２３  つめ車盤
２３    ペン先
２３１  凸型リブ
２３２  凹型部
２４    バネ
２５    ペン管
２５１  凸型リブ
２５２  長方形開口溝
２５３  斜面切り口
２６    つめ車
２７      ボタン
２８      キャップ
２９１    ホールディング部品
２９１１  凸型部
２９２    固定部品
２９２１  つめ車
２９２２  凸型ブロック
２９３    バネ
２９４    固定台
２９４１  固定ブロック
３        メモ用紙
３１      粘着剤
４        テープ
５        筆記用具
５１      芯
５２      空洞固定軸
５２１    凸型縁
５２２    凸型ブロック
５２３    つめ車盤
５３      ペン先  
５３１    凸型リブ  
５３２    凹型部
５４      ペン管
５４１    凸型リブ
５４２    長方形開口溝
５５      キャップ
５６１    ホールディング部品
５６１１  凸型部
５６２    固定部品
５６２１  つめ車
５６２２  凸型ブロック
５６３    バネ
５６４    固定台
５６４１  固定ブロック
代理人  弁理士    伊藤  進
【図１】
0003104960.tif 000003
【図２】
0003104960.tif 000004
【図３】
0003104960.tif 000005
【図４】
0003104960.tif 000006
【図５】
0003104960.tif 000007
【図６】
0003104960.tif 000008
【図７】
0003104960.tif 000009
【図８】
0003104960.tif 000010
【図９】
0003104960.tif 000011
【図１０】
0003104960.tif 000012
【図１１】
0003104960.tif 000013
【図１２】
0003104960.tif 000014
【図１３】
0003104960.tif 000015